(57)【要約】      （修正有）【課題】夜間は視認性が高く、昼間は再帰反射素材が殆ど目立たず、制服のデザインを損ねることのない、再帰反射型学生服を提供する。【解決手段】襟素材と同色又は近似色をもちパイピング処理された再帰反射素材８が、襟３の縁取り部６の前部Ｆから背中部にかけて、パイピング処理後のパイピング部９のみが表側に１ｍｍ〜３ｍｍの細幅で現れるように縫い込まれる構成とする。パイピング部９は、可撓性芯材の周囲に再帰反射素材８が折り返されるとともに、可撓性芯材を包むように縁縫いされて、細幅に形成される。【選択図】図１
0003141174.tif 000002
【実用新案登録請求の範囲】
【請求項１】
襟素材と同色又は近似色をもちパイピング処理された再帰反射素材が、襟の縁取り部の前部から背中部にかけて、パイピング処理後の細幅のパイピング部のみが表側に現れるように縫い込まれていることを特徴とする再帰反射型学生服。
【請求項２】
襟の縁取り部の表側に現れる再帰反射素材のパイピング部の幅は、１ｍｍ〜３ｍｍの細幅であることを特徴とする、請求項１記載の再帰反射型学生服。
【請求項３】
再帰反射素材は、黒色または濃紺色であることを特徴とする、請求項１又は請求項２記載の再帰反射型学生服。
【請求項４】
可撓性芯材の周囲に再帰反射素材が折り返されるとともに、可撓性芯材を包むように縁縫いされて、細幅のパイピング部が形成されていることを特徴とする、請求項１ないし請求項３のいずれか一項に記載の再帰反射型学生服。
【請求項５】
可撓性芯材の周囲に再帰反射素材が折り返されるとともに、可撓性芯材を包むように縁縫いされて、細幅のパイピング部が形成された再帰反射素材が、上襟部材の表地を上面にしてその縁端から前記パイピング部側が内方を向くようにして、縁取り部の前部から背中部にかけて縁縫いされており、下襟部材が、その表地を再帰反射素材の上から上襟部材の表地に向き合わせるようにして、重ね合わされるとともに、同重ね合わされた状態で襟の縁取り部の前部から背中部にかけて互いに縁縫いされており、互いに縁縫いされた上襟部材および下襟部材の、互いに向き合わされた表地どうしが外側に返されて再帰反射素材の細幅のパイピング部のみが襟の縁取り部の表側に現れる構成であることを特徴とする、請求項１ないし請求項４のいずれか一項に記載の再帰反射型学生服。
【請求項６】
再帰反射素材の内面に粘着層を介してバイアス状の繊維生地からなるバイアス生地材が予め貼り付けられ、可撓性芯材の周囲に再帰反射素材がバイアス生地材とともに折り返される構成であることを特徴とする、請求項１ないし請求項５のいずれか一項に記載の再帰反射型学生服。
【請求項７】
パイピング処理された再帰反射素材が、袖口の縁取り部の周りに、パイピング処理後の細幅のパイピング部のみが表側に現れるように縫い込まれていることを特徴とする、請求項１ないし請求項６のいずれか一項に記載の再帰反射型学生服。
【請求項８】
パイピング処理された再帰反射素材が、袖取付け部の周りに、パイピング処理後の細幅のパイピング部のみが表側に現れるように縫い込まれていることを特徴とする、請求項１ないし請求項７のいずれか一項に記載の再帰反射型学生服。
【考案の詳細な説明】
【技術分野】
【０００１】
本考案は、夜間の視認性が高く、また、昼間は再帰反射素材が殆んど目立たず、制服のデザインを損ねることのない、再帰反射型学生服に関するものである。
【背景技術】
【０００２】
幼稚園乃至高等学校においては、制服の着用を義務付けているところが多い。夏の学制服としては、主に白系統の開襟シャツやブラウスが着用され、また、冬の学生服としては、主に黒、濃紺等の濃色系統の、詰襟、ブレザー、セーラー服などが着用される。
【０００３】
夕方の下校あるいは夜間の塾からの帰りの時間帯は、車のドライバーが前方の歩行者や自転車を視認しにくいという問題がある。特に冬の制服の場合は、黒や濃紺色であるため、夜間の周囲の色と区別しにくく、余計にドライバーが視認しにくい。
【０００４】
視認性を高めるため、従来より、通学用ヘルメットに反射テープを貼り付けたり（特許文献１）、学生服の一部に反射テープや反射布地を取り付ける提案（特許文献２、特許文献３）がなされている。
【０００５】
【特許文献１】登録実用新案第３１３８６６６号公報
【特許文献２】特開２００３−３４２８１６号公報
【特許文献３】実開平６−２５３９６号公報
【考案の開示】
【考案が解決しようとする課題】
【０００６】
しかし、特許文献１の通学用ヘルメットは、もっぱら自転車通学に用いられるものである。また、特許文献２の学生服は、組み糸に反射テープを組み込んだ組紐からなるラインが用いられるので、ラインに組み糸を用いない学生服には適用できない。また、従来と同様に洗濯による形くずれの問題がある。特許文献３の学生服は、柄模様をシルクスクリーン印刷した反射布地が用いられるので、製作コストが高く、また、柄模様付きの衣服に限定され、さらに昼間は反射布が目立つ問題がある。
【０００７】
本考案は前記課題に鑑みてなされたもので、夜間の視認性が高く、昼間は再帰反射素材が殆ど目立たず、制服のデザインを損ねることのない再帰反射型学生服を提供すること、繰り返し洗濯しても襟の形くずれのない再帰反射型学生服を提供すること、さらには、ラインの有無、柄模様の有無に限らず、幅広く適用できる再帰反射型学生服を提供することを目的とする。
【０００８】
また、再帰反射素材が学生服の襟の縁取り部分に殆んど目立たずに縫製された再帰反射型学生服を提供することを目的とする。
【課題を解決するための手段】
【０００９】
前記課題を達成するために、本考案に係る請求項１の再帰反射型学生服は、襟素材と同色又は近似色をもちパイピング処理された再帰反射素材が、襟の縁取り部の前部から背中部にかけて、パイピング処理後の細幅のパイピング部のみが表側に現れるように縫い込まれていることを特徴とする。
【００１０】
本考案の請求項１記載の再帰反射型セーラー服によると、夜間は学生服の襟の縁取り部にパイピング状に縫い込まれた細幅の再帰反射素材が、前方あるいは後方から走行する自動車や自転車のライトに反射して、大きく目立ち、視認性が非常に高い。また、再帰反射素材はセーラー服の襟の非常に目立たない位置である縁取り部に細幅のパイピング部のみが表に現れるように縫い込まれているから、昼間は再帰反射素材が殆んど目立たず、制服のデザインを損ねることがない。
【００１１】
また、襟の縁取り部にパイピング状に再帰反射素材が縫い込まれているから、襟の縁取り部が補強されることになり、学生服を繰り返し洗濯しても、襟の縁取り部に皺ができたり、襟の形くずれが防止される。
【００１２】
さらには、襟の縁取り部にパイピング状に再帰反射素材が縫い込まれるから、襟の内側に沿って設けられるラインの有無、柄模様の有無に限らず、幅広く適用することができる。
【００１３】
本考案の請求項２に係る再帰反射型学生服は、襟の縁取り部の表側に現れる再帰反射素材のパイピング部の幅は、１ｍｍ〜３ｍｍの細幅であることを特徴とする。
【００１４】
本考案の請求項２記載の再帰反射型学生服によると、再帰反射素材のパイピング部の幅が、１ｍｍ〜３ｍｍの細幅であるから、昼間は再帰反射素材が殆んど目立たず、制服のデザインを損ねることがない。パイピング部の幅は１．５ｍｍ〜２．５ｍｍであることがより一層望ましい。
【００１５】
本考案の請求項３に係る再帰反射型学生服は、再帰反射素材が、黒色または濃紺色であることを特徴とする。
【００１６】
本考案の請求項３記載の再帰反射型学生服によると、再帰反射素材が、黒色または濃紺色であることにより、冬の制服の色と同色又はほとんど変わらない色であり、昼間は再帰反射素材が殆んど目立たず、制服のデザインを損ねることがない。
【００１７】
本考案の請求項４に係る再帰反射型学生服は、可撓性芯材の周囲に再帰反射素材が折り返されるとともに、可撓性芯材を包むように縁縫いされて、細幅のパイピング部が形成されていることを特徴とする。
【００１８】
本考案の請求項４記載の再帰反射型学生服によると、可撓性芯材を用いることにより、再帰反射素材にパイピング部を形成しやすくなる。
【００１９】
本考案の請求項５に係る再帰反射型学生服は、可撓性芯材の周囲に再帰反射素材が折り返されるとともに、可撓性芯材を包むように縁縫いされて、細幅のパイピング部が形成された再帰反射素材が、上襟部材の表地を上面にしてその縁端から前記パイピング部側が内方を向くようにして、縁取り部の前部から背中部にかけて縁縫いされており、下襟部材が、その表地を再帰反射素材の上から上襟部材の表地に向き合わせるようにして、重ね合わされるとともに、同重ね合わされた状態で襟の縁取り部の前部から背中部にかけて互いに縁縫いされており、互いに縁縫いされた上襟部材および下襟部材の、互いに向き合わされた表地どうしが外側に返されて再帰反射素材の細幅のパイピング部のみが襟の縁取り部の表側に現れる構成であることを特徴とする。
【００２０】
本考案の請求項５記載の再帰反射型学生服によると、パイピング処理された再帰反射素材を、襟の縁取り部に細幅のパイピング部のみが表側に現れるように縫い込むことができ、また、縁縫い箇所が表側から現れることがないので、その仕上がりも良好である。
【００２１】
本考案の請求項６に係る再帰反射型学生服は、再帰反射素材の内面に粘着層を介してバイアス状の繊維生地からなるバイアス生地材が予め貼り付けられ、可撓性芯素材の周囲に再帰反射素材がバイアス生地材とともに折り返される構成であることを特徴とする。
【００２２】
本考案の請求項６記載の再帰反射型学生服によると、バイアス生地材を用いることで、パイピング処理された再帰反射素材を縁縫いする際に必要な剛性を確保することができ、再帰反射素材を襟の縁取り部に綺麗に取り付けることができる。
【００２３】
本考案の請求項７に係る再帰反射型学生服は、パイピング処理された再帰反射素材が、袖口の縁取り部の周りに、パイピング処理後の細幅のパイピング部のみが表側に現れるように縫い込まれていることを特徴とする。
【００２４】
本考案の請求項７記載の再帰反射型学生服によると、パイピング処理された再帰反射素材が、袖口の縁取り部の周りに、パイピング処理後の細幅のパイピング部のみが表側に現れるように縫い込まれていることにより、夜間における視認性をより一層高めることができる。
【００２５】
本考案の請求項８に係る再帰反射型学生服は、パイピング処理された再帰反射素材が、袖取付け部の周りに、パイピング処理後の細幅のパイピング部のみが表側に現れるように縫い込まれていることを特徴とする。
【００２６】
本考案の請求項８記載の再帰反射型学生服によると、パイピング処理された再帰反射素材が、袖取付け部の周りに、パイピング処理後の細幅のパイピング部のみが表側に現れるように縫い込まれていることにより、夜間における視認性をより一層高めることができる。
【考案の効果】
【００２７】
本考案の再帰反射型学生服によると、襟素材と同色又は近似色をもちパイピング処理された再帰反射素材が、襟の縁取り部の前部から背中部にかけて、パイピング処理後の細幅のパイピング部のみが表側に現れるように縫い込まれていることを特徴とするから、夜間は学生服の襟の縁取り部にパイピング状に縫い込まれた細幅の再帰反射素材が、前方あるいは後方から走行する自動車や自転車のライトに反射して、大きく目立ち、視認性が非常に高く、通学時の安全性を確保することができる。また、再帰反射素材はセーラー服の襟の非常に目立たない位置の縁取り部に細幅のパイピング部のみが表に現れるように縫い込まれているから、昼間は再帰反射素材が殆んど目立たず、制服のデザインを損ねることがないという優れた効果を奏する。
【００２８】
また、襟の縁取り部にパイピング状の再帰反射素材が縫い込まれているから、襟の縁取り部が補強され、洗濯の繰り返しによる襟の形くずれを防止することができる。さらには、襟の内側に沿って設けられるラインの有無、柄模様の有無に限らず、既存の学生服に幅広く適用することができるという優れた効果を奏する。
【００２９】
また、本考案の再帰反射型学生服によれば、従来の学生服の構造や縫製手順を特に変更することなく、パイピング処理された再帰反射素材を制服の襟の縁取り部に沿って細幅で縫い込むことができ、縫い込んだ後の縁縫い箇所が表側から現われることがなく、綺麗に仕上げることができる効果を奏する。
【考案を実施するための最良の形態】
【００３０】
以下、図面を参照して、本考案に係る再帰反射型学生服について、一実施形態を説明する。図１は本考案に係る再帰反射型学生服の正面図、図２はその背面図を示している。これらの図において、符号１は再帰反射型学生服である。
【００３１】
図１および図２に示すように、本考案の再帰反射型学生服１は、セーラー服タイプであり、濃紺色の上衣２の首回り部に対し、前部から背中部にかけて広幅の襟３が設けられている。この襟３は、縁取り部６が前部Ｆから背中部Ｒにかけて縁縫いされる上襟部材４および下襟部材５（図１０および図１１参照）から構成されている。この襟３には、前部Ｆから背中部Ｒにかけて、縁取り部６よりも内方に位置するライン７が、襟３の縁取り部６に沿って縫い付けられている。このライン７は、本実施形態では、上衣２の色と異なるエンジ色の紐から構成されている。なお、ライン７は必須ではなく、したがってライン７のない襟３に対しても本考案は適用可能である。
【００３２】
襟３の縁取り部６には、その前部Ｆから背中部Ｒにかけて、上衣２の色と同色または近似色をもちパイピング処理された再帰反射素材８が、パイピング処理後のパイピング部９のみが表側に表れるように縫い込まれている。本実施形態の再帰反射素材８は、上衣２の色と近似色である黒色のものが用いられているが、上衣２の色と同色である濃紺色のものが用いられても良い。
【００３３】
再帰反射素材８は、自動車や自転車のライトから受光して、光源のライトに向けて光を反射させる機能をもつものであり、学生服１の襟３の縁取り部６に、前部Ｆから背中部Ｒにかけて、パイピング状に縫い込まれた再帰反射素材８が、前方あるいは後方から走行してくる自動車や自転車のライトに反射して、ドライバーの視認性を高めるものである。
【００３４】
本実施形態の学生服１は、上衣２と近似色のパイピング状の再帰反射素材８が、襟３の縁取り部６に１ｍｍ〜２ｍｍの細幅で縫い込まれているので、昼間は、再帰反射素材８が襟３にパイピング状に縫いこまれていることが殆んど判らないくらいに目立たず、したがって、学生服１の襟３のデザインを損なうことがない。
【００３５】
パイピング状の細幅の再帰反射素材８は、学生服１の襟３に対し次のようにして縫い込まれる。まず、図３に示すように、約２０ｍｍ幅の帯状の再帰反射素材８の内面に形成された粘着層１０の上に、繊維生地がバイアス（長手方向に対し４５度）に配向されたバイアス生地材１１が一体に取り付けられる。次いで、図４に示すように、バイアス生地材１１の上側に長手方向に沿って直径が約２ｍｍの紐状の可撓性芯材１２が配置され、図５に示すように、同可撓性芯材１２の周囲に再帰反射素材８がバイアス生地材１１とともに折り返され、可撓性芯材１２を包むようにして折り返し端から約３ｍｍの位置が長手方向に縁縫いされ、これにより一端にパイピング部９が形成された再帰反射素材８が得られる。
【００３６】
次に、図６および図７に示すように、パイピング部９が形成された再帰反射素材８が、予め所定の襟形状に裁断された上襟部材４の表地４Ａを上面にしてその縁端４ｂから前記パイピング部９側が内方を向くようにして、縁取り部４ａの前部Ｆから背中部Ｒにかけて、先の縁縫い箇所１３にほぼ重なるようにして、その上から再び縁縫いされる。これによりパイピング部９が形成された再帰反射素材８が、上襟部材４の表地４Ａの縁取り部４ａの前部Ｆから背中部Ｒにかけて、取り付けられる。
【００３７】
再帰反射素材８の内面にバイアス生地材１１が一体に取付けられるから、再帰反射素材８に可撓性を持たせると同時に縁縫い時に必要な剛性を確保し、これによって、襟３の縁に沿って蛇行することなくパイピング処理された再帰反射素材８を真っ直ぐ綺麗に取り付けることができる。また、襟３の角部３ａのアール部分に対してもパイピング処理された再帰反射素材８を同角部３ａのアール部分に合わせて綺麗に湾曲させ、パイピング処理された再帰反射素材８を綺麗に取り付けることができる。
【００３８】
次に、図８および図９に示すように、下襟部材５が、その表地５Ａを再帰反射素材８の上から上襟部材４の表地４Ａに向き合わせるようにして、重ね合わされるとともに、同重ね合わされた状態で襟３の縁取り部６の前部Ｆから背中部Ｒにかけて互いに縁縫いされる。縁縫い箇所１５は、先の縁縫い箇所１３，１４とほぼ重なる位置に合わせられる。
【００３９】
最後に、図１０および図１１に示すように、互いに縁縫いされた上襟部材４および下襟部材５の、互いに向き合わされた表地４Ａ，５Ａどうしが、縁縫いされていない首回り開口部１６から、外側にひっくり返されて、再帰反射素材８のパイピング部９のみが約２ｍｍの細幅で襟３の縁取り部６の表側に、前部Ｆから背中部Ｒにかけて現れる。
【００４０】
このようにして、再帰反射素材８のパイピング部９のみが約２ｍｍの細幅で襟３の縁取り部６の前部Ｆから背中部Ｒにかけて現れるように、再帰反射素材８を綺麗に縫い込むことができる。襟３の縁取り部６にパイピング状に縫い込まれた再帰反射素材８は、縁縫い箇所１３，１４，１５が外側からは全く見えない工夫が施されたので、仕上がり良好で、襟３のデザインを損ねることがない。
【００４１】
パイピング状の再帰反射素材８が縁取り部６に細幅に縫い込まれた襟３は、通常の縫製の手順に従い、上衣１の首回りに取り付けられる。
【００４２】
このようにして製作された学生服１は、夜間は学生服の襟の縁取り部にパイピング状に縫い込まれた細幅の再帰反射素材が、前方あるいは後方から走行する自動車や自転車のライトに反射して、大きく目立ち、視認性が非常に高い。これにより通学時の安全性を確保することができる。また、再帰反射素材はセーラー服の襟の非常に目立たない位置である縁取り部にパイピング部のみが表に現れるように縫い込まれているから、昼間は再帰反射素材が殆んど目立たず、制服のデザインを損ねることがない。
【００４３】
本実施形態においては、パイピング状の再帰反射素材８を、学生服１の襟３の縁取り部６に細幅に縫い込むようにしたが、縫い込む場所はこれに限られない。上衣１の袖口１７の縁取り部や上衣１の袖取付け部１８に図３ないし図１１に示す方法と同様の方法で縫い込むことにより、夜間における視認性をより一層高めることができるし、昼間は縫い込んだ細幅の再帰反射素材８がほとんど目立たず、制服のデザインを損ねることもない。さらには、前面のポケット部１８に縫い込んでも良い。
【００４４】
また、学生服１としては、セーラー服タイプに限られず、詰襟タイプの男子学生服の襟の縁取り部に縫い込むようにしても良い。
【産業上の利用可能性】
【００４５】
本考案の再帰反射型学生服は、夜間は視認性が高く、昼間は再帰反射素材がほとんど目立たず、デザインを損ねない学生服として利用可能である。また、学生服のみならず、作業服、帽子その他に幅広く応用可能である。
【図面の簡単な説明】
【００４６】
【図１】本考案の再帰反射型学生服の正面図、
【図２】図１に示す再帰反射型学生服の背面図、
【図３】再帰反射素材の内面にバイアス生地材が取り付けられる状態を示す図、
【図４】再帰反射素材の内面に取り付けられたバイアス生地材の上に可撓性芯材が配置された状態を示す図、
【図５】可撓性芯材の周囲に再帰反射素材が折り返されて縁縫いされた状態を示す図、
【図６】上襟部材の表地の縁取り部にパイピング処理された再帰反射素材が縁縫いされた状態を示す図、
【図７】図６のＡ−Ａ線矢視断面図、
【図８】図６の上襟部材の上に下襟部材が重ね合わされ、互いに縁縫いされた状態を示す図、
【図９】図８のＢ−Ｂ線矢視断面図、
【図１０】図８の状態から襟の内面の表地を外側に返した状態を示す図、
【図１１】図１０のＣ−Ｃ線矢視断面図である。
【符号の説明】
【００４７】
１  再帰反射型学生服
２  上衣
３  襟
３ａ  角部
４  上襟部材
４Ａ，５Ａ  表地
４ａ，  ６  縁取り部
５  下襟部材
７  ライン
８  再帰反射素材
９  パイピング部
１０  粘着層
１１  バイアス生地材
１２  可撓性芯材
１３，１４，１５  縁縫い箇所
１６  首回り開口部
１７  袖口
１８  袖取付け部
１９  ポケット部
【図１】
0003141174.tif 000003
【図２】
0003141174.tif 000004
【図３】
0003141174.tif 000005
【図４】
0003141174.tif 000006
【図５】
0003141174.tif 000007
【図６】
0003141174.tif 000008
【図７】
0003141174.tif 000009
【図８】
0003141174.tif 000010
【図９】
0003141174.tif 000011
【図１０】
0003141174.tif 000012
【図１１】
0003141174.tif 000013